(57)【要約】【課題】周辺状況確認システムにおいて、車両などの異常を感知した際、もしくは任意の状況で直接車両などの特定の距離（例えば半径５ｍ）まで足を運ぶことなく、車両などの状況を確認できるようにする。【解決手段】固有識別情報を無線送信可能な複数の携帯機器からの固有識別情報を受信するアンテナ２、及び送受信部３、それらの固有識別情報を登録するメモリ部５、周囲の画像および映像を取得するカメラ部６、受信した固有識別情報が予めメモリ部５に登録されてある、いずれかの固有識別情報と一致するか否かを判断し、その判断結果によって、カメラ部６の電源を投入し、カメラ部６から受信した映像信号を、固有識別情報の一致した携帯機器に送信する前述の送受信部３、及びそれらを制御する制御部４を備える。【選択図】図１
2015138421.tif 000002
【特許請求の範囲】
【請求項１】
固有識別情報を無線送信可能な複数の携帯機器からの固有識別情報を受信するアンテナ、及び送受信部、
それらの固有識別情報を登録するメモリ部、周囲の画像および映像を取得するカメラ部、受信した固有識別情報が予めメモリ部に登録されてある、いずれかの固有識別情報と一致するか否かを判断し、その判断結果によって、カメラ部の電源を投入し、カメラ部から受信した映像信号を、
固有識別情報の一致した携帯機器に送信する前述の送受信部、及びそれらを制御する制御部を有したことを特徴とする無線技術を用いた周辺状況確認システム。
【発明の詳細な説明】
【技術分野】
【０００１】
本発明は、無線技術を用いることによって、携帯端末等によって、車両・船舶などの周辺状況を確認できるシステムに関するものである。
【背景技術】
【０００２】
現在、自動車などの車両に搭載されるセキュリティシステムには、異常を感知すると、光や音で威嚇したり、専用リモコンに
通知が来るものや、GPSによる車両などの位置情報を携帯電話やパーソナルコンピューターで確認するものが存在する。
【０００３】
また、セキュリティシステムの異常感知に連動して、車載してあるカメラが自動的に車内・車外の映像を記録する
ものも存在する。
【先行技術文献】
【特許文献】
【０００４】
【特許文献１】特開２０１３−１９０９９０号公報
【特許文献２】特開２００７−３２５１８３号公報
【発明の概要】
【発明が解決しようとする課題】
【０００５】
しかし、現状では、セキュリティシステムが異常を感知して、専用リモコンに通知が来ても、また、
自動的に車内・車外の映像が記録されても、車両などの状態を確認するためには、直接車両などの特定の距離（例えば半径５ｍ）まで足を運ぶ必要がある。
【０００６】
本発明は、このような背景において、車両などの異常を感知した際、もしくは任意の状況で
直接車両などの特定の距離（例えば半径５ｍ）まで足を運ぶことなく、車両などの状況を確認できるシステムを提供することを課題とする。
【課題を解決するための手段】
【０００７】
上記の課題解決のため、本発明の請求項１ に記載の無線技術を用いた周辺状況確認システムは、
固有識別情報を無線送信可能な複数の携帯機器からの固有識別情報を受信するアンテナ、及び送受信部、
それらの固有識別情報を登録するメモリ部、周囲の画像および映像を取得するカメラ部、受信した固有識別情報が予めメモリ部に登録されてある、いずれかの固有識別情報と一致するか否かを判断し、その判断結果によって、カメラ部の電源を投入し、カメラ部から受信した映像信号を、
固有識別情報の一致した携帯機器に送信する制御部を有したことを特徴とするものである。
【０００８】
上記のようなシステム構成とすれば、車両などの異常を感知した際、もしくは任意の状況で
直接車両などの特定の距離（例えば半径５ｍ）まで足を運ぶことなく、車両などの状況を確認できるシステムが実現可能となる。
【発明の効果】
【０００９】
本発明の無線技術を用いた周辺状況確認システムは、以上のとおりのものであるから、
車両などの異常を感知した際、もしくは任意の状況で車両などの状況を画像及び映像によって確認できるため、
直接車両などの特定の距離（例えば半径５ｍ）まで足を運ぶことなく、車両などの周辺状況を確認することが可能になる。
また、車両などの画像および映像を確認するのに、専用の端末を用意する必要がなく、使用者が通常携帯する
可能性のある携帯機器（携帯電話機７、腕時計８、コンピューター９、携帯ゲーム機１０、及び携帯音楽プレーヤー１１など）
を用いることが可能なため、使用者にとって非常に使い勝手のよいものとすることができる。
【図面の簡単な説明】
【００１０】
【図１】システムの構成を示す図である。
【図２】制御部の処理内容を示すフローチャート図である。
【発明を実施するための形態】
【００１１】
次に、本発明の実施形態を図面に基づいて説明する。図１は請求項１に係る実施形態のシステム構成を示す図であり、
図２は請求項１に係る実施形態の制御部４における処理内容を示すフローチャート図である。
各図における符号は、１は自動車、２はアンテナ（無線接続方式としてＩＥＥＥ８０２．１１標準を基本とした技術
“Ｂｌｕｅｔｏｏｔｈ（規格名）（登録商標）”（以下「ブルートゥース」と称する）に従ったもの）、３は送受信部、４は制御部、
５はメモリ、６はカメラ、７〜１１は携帯機器である。
【００１２】
図１において、所定の距離（例えば半径２５ｍ）以内にブルートゥースに対応した携帯機器が存在し、
その携帯機器からの画像および映像の確認を開始する信号を送信すると、アンテナ２を介して送受信部３で受信し、
制御部４へ送信する。
【００１３】
制御部４は、カメラ６の電源のＯＮ／ＯＦＦ、カメラ６からの画像および映像信号の取得、および携帯機器７〜１１への送信を制御するもので、
この自動車１の使用者が所持する各種携帯機器の固有識別情報を予め記憶しておくためのメモリ５と
接続されていると共に、制御対象であるカメラ６や送受信部３とも接続される。
【００１４】
例として、この自動車１の使用者が所持する携帯機器として、携帯電話機７、腕時計８、
コンピューター９、携帯ゲーム機１０、及び携帯音楽プレーヤー１１を考えたとき、これら各携帯機器７〜１１は、
いずれも上記ブルートゥースに対応してその機器固有の識別情報を発信するもので、それらの固有識別情報は
いずれも上記メモリ５に登録されているものとする。
【００１５】
ここで、上記の携帯機器７〜１１が有するその固有識別情報は、同一機種の携帯機器であっても
その個体毎に異なった、２つとないものとする。
【００１６】
次に上記実施の形態の動作について説明する。
【００１７】
図２は制御部４が行なう処理内容を示すもので、一定周期毎にメモリ５に登録されている固有識別情報を含んだ
携帯端末から、画像および映像の確認する信号が受信されたか否かを判断する（ステップＡ０１）とともに、車両などに異常がないかを
判断する（ステップＡ０２）ことで、車両などの異常と、上記の携帯機器７〜１１のいずれかを携帯した使用者が
画像および映像の確認を開始する信号を送信するのを待機する。
【００１８】
待機時において、メモリ５に登録されている固有識別情報を含んだ携帯端末からの画像および映像の確認を開始する信号が
受信された、または、車両などに異常が発生したと判断した時点で、
カメラ６の電源をＯＮにして（ステップＡ０３）、カメラ６から取得した画像および映像信号を
携帯機器７〜１１に送信し始める。（ステップＡ０４）
【００１９】
その後もアンテナ２、および送受信部３にて、上記メモリ５に登録されている固有識別情報を含んだ
携帯端末からの画像および映像の確認する信号の受信を継続し、その受信が途絶えたか否かを繰返し判断する（ステップＡ０５）とともに、
指定時間（例えば３０秒）が経過したか（ステップＡ０６）を繰返し判断することで、
使用者がこの自動車１に搭載されたカメラ６の画像および映像の確認を終えるか、指定時間が経過するのを待機する。
【００２０】
そして、受信が途絶えたか、指定時間が経過したと判断した時点で、使用者がこの自動車１に搭載されたカメラ６の
画像および映像の確認を終えたものとして、
カメラ６の画像および映像信号の送信を停止（ステップＡ０７）、
カメラの電源をＯＦＦにして（ステップＡ０８）、再び上記ステップＡ０１、ステップＡ０２の待機状態に戻る。
【００２１】
このように、自動車１において、使用者が通常携帯している機器によって、自動車１の内部、及び外部の状況を画像及び映像によって確認することができるようにした。
【００２２】
そのため、本来は自動車１の内部・外部の状況を確認するには、自動車１の特定の距離（例えば半径５ｍ）まで足を運ぶ必要があったが、
本システムによって、自動車１の特定の距離（例えば半径５ｍ）まで足を運ぶことなく、自動車１の内部・外部の状況を確認することができ、
使用者にとって非常に使い勝手のよいものとすることができる。
【００２３】
なお、上記実施の形態は無線接続方式としてブルートゥースを用いるものとして説明したが、
距離を限定して使用するような無線接続方式であれば、他のものであっても構わないものとする。
【００２４】
以上に、本発明の実施形態を示したが、本発明はこれに限られるものではなく、発明思想を
逸脱しない範囲で各種の変更が可能である。
【００２５】
さらに、上記実施の形態には種々の段階の発明が含まれており、開示される複数の構成要件におけ
る適宜な組合わせにより種々の発明が抽出され得る。例えば、発明を実施するための形態に示される全構成要件からいくつかの
構成要件が削除されても、発明が解決しようとする課題の欄で述べた課題の少なくとも１つが解決でき、発明の
効果の欄で述べられている効果の少なくとも１つが得られる場合には、この構成要件が削除された構成が発明と
して抽出され得る。
【産業上の利用可能性】
【００２６】
本システムは、周囲の監視、及び状況確認の必要性がある全ての装置に適用可能である。
【符号の説明】
【００２７】
１    自動車
２    アンテナ
３    送受信部
４    制御部
５    メモリ
６    カメラ
７    携帯電話機
８    腕時計
９    パーソナルコンピューター（ＰＣ）
１０  携帯ゲーム機
１１  携帯音楽プレーヤー
【図１】
2015138421.tif 000003
【図２】
2015138421.tif 000004